(57)【特許請求の範囲】
【請求項１】
建築物の屋根躯体に施工してある施工防水シートの劣化状態をモニターする防水シート劣化モニター方法であって、
劣化に伴って変色するモニターシートを備えた劣化モニター具を、前記屋根躯体以外の箇所で、かつ、前記建築物における使用者が日常生活において目視可能な箇所に予め固定しておいて、その劣化モニター具により前記施工防水シートの劣化状態を認知する防水シート劣化モニター方法。
【請求項２】
請求項１に記載の防水シート劣化モニター方法に使用する防水シート劣化モニター具であって、
その劣化モニター具が、前記モニターシートと、他物への固定部を備えている防水シート劣化モニター具。
【請求項３】
前記モニターシートが、前記施工防水シートと同一の防水シートで構成してある請求項２に記載の防水シート劣化モニター具。
【請求項４】
前記劣化モニター具が、その表面側に前記モニターシートを備え、その裏面側に他物への固定部としての接着部を備えている請求項２または３に記載の防水シート劣化モニター具。
【請求項５】
前記劣化モニター具の表面側に、前記モニターシートが劣化により変色する前の色を表示する基本色表示部と、劣化により変色して前記施工防水シートが張り替え時期に達したことを表示する張り替え色表示部が設けられている請求項４に記載の防水シート劣化モニター具。
【発明の詳細な説明】
【０００１】
【発明の属する技術分野】
本発明は、建築物の屋根躯体に施工してある施工防水シートの劣化状態をモニターする防水シート劣化モニター方法とその方法に使用する防水シート劣化モニター具に関する。
【０００２】
【従来の技術】
このような防水シートは、各種建築物の屋上や屋根をはじめとして、ベランダなどにも施工されるもので、経年に伴って徐々に劣化することになる。
したがって、所望の防水機能を維持するためには、施工防水シートの劣化状態をモニターし、必要に応じて新たな防水シートに張り替える必要があり、従来、劣化に伴ってシートの色が変化し、その色の変化により張り替え時期を認知できるように構成した防水シートが知られている。
【０００３】
【発明が解決しようとする課題】
この従来の防水シートによれば、その防水シートの施工場所が、例えば、ベランダような目に付きやすいところであれば、初期の目的を達成することはできるが、その施工場所が、建屋の使用者が、通常ほとんど登ることのない屋上や屋根などのような屋根躯体であると、せっかく劣化状態をモニターできるにもかかわらず、張り替え時期の認知を失念して、施工防水シートの劣化による漏水を生じるおそれがあり、この点に問題があった。
【０００４】
本発明は、このような従来の問題点に着目したもので、その目的は、防水シートの施工場所が屋上や屋根などのような屋根躯体であっても、施工防水シートの劣化状態を容易にモニターすることができ、防水シート張り替え時期を確実に認知することのできる防水シート劣化モニター方法とその方法に使用する防水シート劣化モニター具を提供することにある。
【０００５】
【課題を解決するための手段】
〔構成〕
請求項１の発明の特徴構成は、図１〜図５に例示するごとく、建築物の屋根躯体１に施工してある施工防水シートＳ１の劣化状態をモニターする防水シート劣化モニター方法であって、劣化に伴って変色するモニターシートＳ２を備えた劣化モニター具４を、前記屋根躯体１以外の箇所で、かつ、前記建築物における使用者が日常生活において目視可能な箇所１１ａ，１２ａ，１３ａに予め固定しておいて、その劣化モニター具４により前記施工防水シートＳ１の劣化状態を認知するところにある。
【０００６】
請求項２の発明の特徴構成は、図２〜図５に例示するごとく、請求項１に記載の防水シート劣化モニター方法に使用する防水シート劣化モニター具であって、その劣化モニター具４が、前記モニターシートＳ２と、他物１１，１２，１３への固定部９を備えているところにある。
【０００７】
請求項３の発明の特徴構成は、前記モニターシートＳ２が、前記施工防水シートＳ１と同一の防水シートで構成してあるところにある。
【０００８】
請求項４の発明の特徴構成は、図２〜図５に例示するごとく、前記劣化モニター具４が、その表面側に前記モニターシートＳ２を備え、その裏面側に他物１１，１２，１３への固定部としての接着部９を備えているところにある。
【０００９】
請求項５の発明の特徴構成は、図２〜図５に例示するごとく、前記劣化モニター具４の表面側に、前記モニターシートＳ２が劣化により変色する前の色を表示する基本色表示部６と、劣化により変色して前記施工防水シートＳ１が張り替え時期に達したことを表示する張り替え色表示部７が設けられているところにある。
【００１１】
なお、上述のように、図面との対照を便利にするために符号を記したが、該記入により本発明は添付図面の構成に限定されるものではない。
【００１２】
〔作用および効果〕
請求項１の発明の特徴構成によれば、建築物の屋根躯体に施工してある施工防水シートの劣化状態をモニターする防水シート劣化モニター方法であって、劣化に伴って変色するモニターシートを備えた劣化モニター具を、屋根躯体以外の箇所で、かつ、建築物における使用者が日常生活において目視可能な箇所に予め固定しておいて、その劣化モニター具により施工防水シートの劣化状態を認知するようにしてあるので、防水シートの施工場所が、通常ほとんど登ることのない屋根躯体であっても、その施工防水シートの劣化状態をモニターシートの変色によって容易に認知することができ、必要に応じて、専門家である防水シート施工業者などに施工防水シートの劣化状態の判定を依頼したり、防水シートの張り替えを依頼するなど、必要な手段を講じることができ、防水シート張り替え時期の失念による漏水などを未然に防ぐことができる。
【００１３】
請求項２の発明の特徴構成によれば、上述した防水シート劣化モニター方法に使用する防水シート劣化モニター具であって、その劣化モニター具が、劣化に伴って変色するモニターシートと、他物への固定部を備えているので、その他物への固定部を利用して、建築物における使用者が、その日常生活において目に付きやすい物に劣化モニター具を固定しておくことにより、施工防水シートの劣化状態を容易に認知することができる。
【００１４】
請求項３の発明の特徴構成によれば、モニターシートが、施工防水シートと同一の防水シートで構成してあるので、劣化モニター具を施工防水シートの劣化条件に近い箇所、例えば、屋外用の植木鉢や植栽装置の上縁、あるいは、犬小屋の屋根などに固定しておくことにより、施工防水シートの劣化状態を的確に認知することができ、特に、防水シートの施工と相前後して劣化モニター具を固定した場合には、両者の劣化状態にほとんど差異がなく、施工防水シートの劣化状態を正確に認知することができる。
【００１５】
請求項４の発明の特徴構成によれば、劣化モニター具が、その表面側にモニターシートを備え、その裏面側に他物への固定部としての接着部を備えているので、その接着部を利用して上述した屋外用の植木鉢や植栽装置の上縁などに劣化モニター具を簡単、確実に固定することができ、かつ、その固定によってモニターシートが表面側に位置するので、施工防水シートの劣化状態を容易に認知することができる。
【００１６】
請求項５の発明の特徴構成によれば、劣化モニター具の表面側に、モニターシートが劣化により変色する前の色を表示する基本色表示部と、劣化により変色して施工防水シートが張り替え時期に達したことを表示する張り替え色表示部が設けられているので、施工防水シートの劣化状態を一層容易に認知することができる。
【００１８】
【発明の実施の形態】
本発明による防水シート劣化モニター方法とその方法に使用する防水シート劣化モニター具の実施の形態を図面に基づいて説明する。
防水シートＳ１は、塩化ビニル樹脂やオレフィン樹脂などで形成されるとともに、劣化に伴ってその表面の色が変化するように構成され、例えば、図１に示すように、建築物の屋根躯体の一例である建屋の屋上１を覆って施工されるもので、その屋上１には、接着層付きの金属製ディスク２が、適当間隔置きに予め打設されている。
この接着層付きディスク２を備えた屋上１の面にその上方から防水シートＳ１を敷き、必要に応じて、各防水シートＳ１どうしを熱融着や溶剤による溶着などによって接着するとともに、各ディスク２に対して防水シートＳ１の上面から誘導加熱装置３を押圧し、各ディスク２の接着層によって防水シートＳ１を接着固定して施工する。
【００１９】
このようにして施工された施工防水シートＳ１の劣化状態をモニターする劣化モニター具４は、図２に示すように、ＰＶＣなどの合成樹脂からなる可撓性を有する長方形の基台シート５と、その基台シート５の表面側に接着されたモニター表示部としてのモニターシートＳ２とを備えている。
そのモニターシートＳ２は、施工防水シートＳ１と同一の防水シート、つまり、施工防水シートＳ１と同じ材料で形成されて同じ厚みを有し、かつ、劣化に伴ってその表面の色が変化する防水シートで構成されている。
【００２０】
前記基台シート５の表面側には、図２の（イ）に示すように、モニターシートＳ２の使用前における基本色、つまり、劣化により変色する前の色を表示する基本色表示部６と、劣化により変色して防水シートが張り替え時期に達したことを表示する張り替え色表示部７とが、モニターシートＳ２を中央にしてその両端部に設けられ、さらに、必要な情報８、例えば、防水シート施工業者の電話番号やＵＲＬなどの情報も表示されている。
そして、基台シート５の裏面側には、図２の（ロ）に示すように、接着部としての接着層９が設けられ、その接着層９の表面が保護シート１０で覆われていて、保護シート１０を剥がして接着層９を露出させることにより、その接着層９によって劣化モニター具４を他物に固定できるように構成されている。
【００２１】
つぎに、この劣化モニター具４を使用して施工防水シートＳ１の劣化状態をモニターする方法について説明する。
建屋の屋上１に防水シートＳ１を施工した際、その施工の直前あるいは直後に劣化モニター具４の保護シート１０を剥がして、劣化モニター具４を他物に固定する。
固定の対象となる他物は、建屋の屋上１以外で、建屋の使用者が、日常生活をする上で頻繁に目に触れる目視可能な物で、かつ、劣化モニター具４を固定しても差し支えのない物であればいかなる物でもよく、特に、図３に示すような屋外用の植木鉢１１やプランタ、図４に示すようなベランダ緑化のための植栽装置１２、あるいは、図５に示すような犬小屋１３などが好ましい。
【００２２】
屋外用の植木鉢１１や植栽装置１２は、日当たりのよい屋外やベランダなどに設置されるので、建屋の屋上１における施工防水シートＳ１と劣化条件が酷似しており、特に、植木鉢１１の上縁１１ａや植栽装置１２の上縁１２ａなどが最適箇所である。同様に、犬小屋１３の屋根１３ａも最適な箇所で、このような箇所１１ａ，１２ａ，１３ａに劣化モニター具４を固定することにより、劣化モニター具４の表面側に位置するモニターシートＳ２は、屋上１の施工防水シートＳ１とほぼ同じように劣化して変色することになる。
【００２３】
そして、植木鉢１１や植栽装置１２の上縁１１ａ，１２ａや犬小屋１３の屋根１３ａは、建屋の使用者にとって目視可能な箇所で、日常生活をする上で頻繁に目に触れるため、劣化モニター具４のモニターシートＳ２が劣化により変色して張り替え色表示部７と同じ色になると、直ちに認知することができ、劣化モニター具４に表示された情報８に基づいて、防水シート施工業者に連絡して施工防水シートＳ１の張り替えの必要性を正式に判定してもらったり、施工防水シートＳ１の張り替えを依頼することができる。
【００２４】
〔別実施形態〕
（１）先の実施形態では、防水シートＳ１を施工した際、その施工の直前あるいは直後に劣化モニター具４を他物１１，１２，１３に固定する例を示したが、劣化モニター具４は、必ずしも防水シートＳ１施工時の直前後において固定する必要はなく、施工の何年か後に固定することも可能である。
例えば、防水シートＳ１の施工時には劣化モニター具４の必要性を感じなかった建築物の使用者が、施工から何年か経過した時点で劣化モニター具４の必要性を感じる場合もあり、その場合には、施工後何年か経過してから劣化モニター具４を他物１１，１２，１３に固定することになる。
その場合、モニターシートＳ２は、必ずしも施工防水シートＳ１と同一の防水シートで構成する必要はなく、例えば、施工防水シートＳ１の経年による劣化を考慮した上で、それに見合った状態で変色して施工防水シートＳ１の張り替え時期を認知させる専用のシートで構成することもできる。
【００２６】
また、劣化モニター具４による劣化状態の表示は、必ずしも施工防水シートＳ１の劣化状態と一致させる必要はなく、劣化モニター具４が、施工防水シートＳ１の劣化状態よりも先行して、その先行劣化状態を表示するように構成し、それによって防水シートの張り替え時期の遅延をより確実に防止するように構成することもできる。
その場合、モニターシートＳ２を施工防水シートＳ１と同一の防水シートで構成するのであれば、モニターシートＳ２の方が施工防水シートＳ１よりも劣化の進行が早くなるように適当な処理を施すことになる。
【００２７】
（２）先の実施形態では、劣化モニター具４の裏面に設けた接着層９により他物への固定部を構成した例を示したが、例えば、劣化モニター具４にビスなどの固定具用貫通孔を設けて、その貫通孔により他物への固定部を構成することもできる。
さらに、劣化モニター具４の裏面に磁石の細片が混入されたゴムを接着したり、あるいは、劣化モニター具４の裏面に磁石を直接接着しておいて、磁石の吸着によって劣化モニター具４を金属製の他物に固定できるように構成することもでき、その場合には、磁石が他物への固定部として機能することになる。
【００２８】
（３）先の実施形態では、防水シートＳ１を施工するに際して接着層付きの金属製ディスク２を使用した例を示したが、例えば、屋根躯体としての屋上１に適当間隔を置いて複数本の長尺状の金属板を固定し、その金属板に防水シートＳ１を接着して施工したり、あるいは、屋上１の全面にわたって防水シートＳ１を直接接着して施工することもでき、防水シートＳ１の施工に関しては種々の方法を採用することができる。
また、防水シートＳ１についても、特に塩化ビニル樹脂製やオレフィン樹脂製のものに限るものではなく、各種の材料からなる防水シートに適用することができる。
【図面の簡単な説明】
【図１】防水シートの施工状態を示す斜視図
【図２】防水シート劣化モニター具の斜視図
【図３】防水シート劣化モニター具の使用例を示す斜視図
【図４】防水シート劣化モニター具の使用例を示す斜視図
【図５】防水シート劣化モニター具の使用例を示す斜視図
【符号の説明】
１                      屋根躯体
４                      劣化モニター具
６ 基本色表示部
７ 張り替え色表示部
９                      固定部としての接着部
１１，１２，１３        他物
１１ａ，１２ａ，１３ａ  目視可能な箇所
Ｓ１                    施工防水シート
Ｓ２                    モニターシート
【図１】
0003888881.tif 000002
【図２】
0003888881.tif 000003
【図３】
0003888881.tif 000004
【図４】
0003888881.tif 000005
【図５】
0003888881.tif 000006